(57)【要約】【課題】月の輪工法よりも容易に堤防の決壊を防ぐことができる水防工法、及び該工法に用いる蓋付水路を提供する。【解決手段】堤防に沿って備えられる水路、通常使用時に水路の上面を覆う水路蓋、及び、水路より堤外地側において水路に沿って備えられる蓋嵌入溝を有し、水路蓋の端部を蓋嵌入溝に嵌入することで水路蓋を立てることができる蓋付水路、並びに、該蓋付水路を用いた水防工法であり、水路蓋の端部を蓋嵌入溝に嵌入することで水路蓋を立てるとともに、立てられた水路蓋及び堤防の裏法面の間に流出防止手段を設置し、立てられた水路蓋、堤防の裏法面、及び流出防止手段で囲まれた領域において、堤防から漏れた水を堰き止める、水防工法とする。【選択図】図２
2011058296.tif 000002
【特許請求の範囲】
【請求項１】
堤防に沿って備えられる水路、または堤内地に設けられた道路に沿って備えられる水路、前記水路より堤外地側において前記水路に沿って備えられる蓋嵌入溝、及び通常使用時に少なくとも前記水路の上面を覆う水路蓋、を有し、
前記水路蓋の端部を前記蓋嵌入溝に嵌入することで前記水路蓋を立てることができる、蓋付水路。
【請求項２】
前記水路蓋が、通常使用時に前記水路及び前記蓋嵌入溝の上面を覆い、通常使用時に前記蓋嵌入溝に嵌合される凸部が前記水路蓋の裏面に備えられている、請求項１に記載の蓋付水路。
【請求項３】
前記水路蓋から鉛直方向に延在する片を前記水路蓋が有するとともに、前記片が厚さ方向に貫通した貫通孔を有し、
前記水路の側方に略垂直方向の孔が備えられており、
前記水路蓋の端部を前記蓋嵌入溝に嵌入した際に、前記片の前記貫通孔を貫通して前記孔に嵌入された固定部材によって、前記水路蓋の姿勢を維持することができる、請求項１または２に記載の蓋付水路。
【請求項４】
前記水路蓋の端部に切り欠きが備えられている、請求項１〜３のいずれかに記載の蓋付水路。
【請求項５】
前記水路蓋が複数備えられ、複数の前記水路蓋の端部を前記蓋嵌入溝に嵌入して複数の前記水路蓋を立てる際に、隣接して立てられた前記水路蓋の隣り合う端部を互いに係合させることができる凸部または凹部が、前記水路蓋の端部に備えられている、請求項１〜４のいずれかに記載の蓋付水路。
【請求項６】
堤防に沿って備えられる水路、前記水路より堤外地側において前記水路に沿って備えられる蓋嵌入溝、及び通常使用時に少なくとも前記水路の上面を覆う水路蓋、を有する蓋付水路を利用する水防工法であり、
前記水路蓋の端部を前記蓋嵌入溝に嵌入することで前記水路蓋を立てるとともに、立てられた前記水路蓋及び前記堤防の裏法面の間に流出防止手段を設置し、  立てられた前記水路蓋、前記堤防の裏法面、及び前記流出防止手段で囲まれた領域において、前記堤防から漏れた水を堰き止める、水防工法。
【請求項７】
堤内地に設けられた道路に沿って備えられる水路、前記水路より堤外地側において前記水路に沿って備えられる蓋嵌入溝、及び通常使用時に少なくとも前記水路の上面を覆う水路蓋、を有する蓋付水路を利用する水防工法であり、
前記水路蓋の端部を前記蓋嵌入溝に嵌入して前記水路蓋を立てることによって、前記水路蓋より堤外地側から流れてきた水の流れを、立てられた前記水路蓋で遮る、水防工法。
【発明の詳細な説明】
【技術分野】
【０００１】
本発明は、堤防からの漏水などに対する水防工法、及び該工法に用いられる蓋付水路に関する。
【背景技術】
【０００２】
洪水時の堤防からの氾濫、堤防の深掘れ・斜面の崩れ、堤防本体の亀裂、堤防もしくは地盤から住居側への漏水などの危険がある場合もしくは発生した場合において、緊急・応急的に実施される作業・工事を総称して水防工法という。水防工法は、被災原因（洗掘・漏水・越水）に応じて速やかに現地に適合した工法を選び、緊急に対策を講じなければならない技術である。これらの工法の大半は緊急対応可能なように比較的入手の容易な資機材を用いて人力により施工可能な工法となっている。
【０００３】
洪水時などに起こる破堤の要因を大別すると浸透、浸食、越水の３つが挙げられる。これらのうち浸透とは、川表側の水位が上昇し、堤内側地盤との水頭（水圧）差により生じる堤防内の間隙水圧が大きくなった場合に、川表側からの河川の浸透水による水みち（湿潤面）が堤防内に形成されることで、裏法側や堤内基盤に漏水を生じさせる現象である。浸透水が堤防を構成する土砂類を吸い出すことから、最終的な堤防の決壊を防ぐためにも早期の発見と適切な対処が必要である。漏水が裏法面に発生すると、法面が急勾配の場合はすべり破壊が生じたり、法面が緩勾配の場合は堤防内の土砂を吸出したり、法面の洗掘破壊が生じたりする。水位差が大きい場合、水圧が大きくなるため、漏出口の周りは漏水圧により次第に破壊されていく。このようにして起こる堤防の破壊を抑えるには、漏水圧を弱める必要がある。
【０００４】
従来、漏水圧を弱めるための工法として、下記非特許文献に開示されているような「月の輪工法」がある。月の輪工法とは、漏出口の周囲を土のうで囲み、漏出口の周囲に漏出してきた水を溜めることによって、その水の圧力で漏出圧を弱める工法である。より具体的には、まず、漏水口を中心にして半円形になるように土のうを並べる。半円形に並べられた土のうの外側に、さらに半円形になるように土のうを並べる。そして二重に並べられた土のうの間に土を詰めて踏み固める。同様の手順で土のうを積み上げていき、土のう及び土からなる壁によって、堤防から漏出してきた水を溜める。土のうを積み上げる高さが高い場合は、鋼杭を打ち、土のうを固定する。最後に、溜められた水を少しずつ排出するためのパイプを土のう及び土からなる壁に設ける。このようにして漏水箇所の周りに水を溜め、その溜められた水の圧力を利用して堤防内を浸透している水の圧力を弱め、堤防の決壊を防ぐことができる。
【先行技術文献】
【非特許文献】
【０００５】
【非特許文献１】漏水対策、［online］、［平成２１年９月１１日検索］、インターネット＜URL：http://www.cgr.mlit.go.jp/ctc/tech_dev/topics/suibou/s_syurui09.htm＞
【発明の概要】
【発明が解決しようとする課題】
【０００６】
しかしながら、上記月の輪工法には以下のような様々な問題があった。堤防からの漏出箇所が多い場合、土のうの作製に手間がかかり迅速な対応が困難である。浸透はある程度の範囲で進行するのに対し、月の輪は漏水箇所での対策工となるため、広範囲の被害に対して対応することができない。水位差が大きく、堤防内の間隙水圧が高い場合、土のうだけではその水圧に耐えられず、上記したように鋼杭の打ち込みが必要になるが、この場合の杭打ち作業には大きな労力を要し、高齢化が進んだ水防団が行うのは困難である。月の輪は土のう及び土からなり、十分な止水性を得にくい。堤防からの漏出する水が多量の場合、排水対策が必要になる。
【０００７】
上記問題に鑑みて、本発明は、従来の月の輪工法よりも容易に堤防の決壊などを防ぐことができる水防工法、及び該工法に用いられる蓋付水路を提供することを課題とする。
【課題を解決するための手段】
【０００８】
以下、本発明について説明する。なお、本発明の理解を容易にするために添付図面の参照符号を括弧書きにて付記するが、それにより本発明が図面の形態に限定されるものではない。
【０００９】
第１の本発明は、堤防（１００）に沿って備えられる水路（１）、または堤内地（１００ｃ）に設けられた道路に沿って備えられる水路、水路より堤外地（１００ｂ）側において水路に沿って備えられる蓋嵌入溝（３）、及び通常使用時に少なくとも水路の上面を覆う水路蓋（２、２、…、２２、２２、…、３２、３２、…、４２、４２、…）、を有し、水路蓋の端部を蓋嵌入溝に嵌入することで水路蓋を立てることができる、蓋付水路（１０、２０、３０、４０）である。
【００１０】
本発明において「堤防」とは、河川の氾濫や海水の浸入などを防ぐために、土砂やコンクリートなどでつくられた構築物全般を意味し、河川に沿って備えられた河川堤防の他、二線堤や輪中堤なども含む。また、水路蓋の「通常使用時」とは、本発明の蓋付水路を後に詳述する水防工法に用いない場合の平常時を意味する。
【００１１】
また、第１の本発明の蓋付水路（１０）において、水路蓋（２、２、…、）が、通常使用時に水路（１）及び蓋嵌入溝（３）の上面を覆い、通常使用時に蓋嵌入溝に嵌合される凸部（４、４）が水路蓋の裏面に備えられていることが好ましい。
【００１２】
本発明において「水路蓋の裏面」とは、通常使用時において水路側となる方の面を意味する。また、以下の本発明の説明において裏面の反対側の面を表面という。水路蓋で蓋嵌入溝の上面を覆うことによって、蓋嵌入溝にゴミが入ることを抑制できる。さらに、蓋嵌入溝の裏面に上記凸部を備える形態とすることによって、通常使用時に水路蓋がずれることを抑制することができる。
【００１３】
さらに、第１の本発明の蓋付水路（２０）において、水路蓋（２２、２２、…）から鉛直方向に延在する片（２３ａ）を水路蓋が有するとともに、該片が厚さ方向に貫通した貫通孔（２４）を有し、水路（１）の側方に略垂直方向の孔（２５）が備えられており、水路蓋の端部を蓋嵌入溝（３）に嵌入した際に、該片の貫通孔を貫通して該孔に嵌入された固定部材（２６）によって、水路蓋の姿勢を維持することができることが好ましい。
【００１４】
ここに、「固定部材」とは、水路蓋から鉛直方向に延在する片に設けられた貫通孔に通すとともに水路の側方に設けられた略垂直方向の孔に嵌入することができ、使用に耐える強度を有するものであれば特に限定されない。固定部材の具体例としては、ボルトなどを挙げることができる。上記のような片、貫通孔、及び固定部材を嵌入できる孔を備えた形態とすることによって、水路蓋の端部を蓋嵌入溝に嵌入した際に、水路蓋が蓋嵌入溝から抜けないように強固に固定することができる。
【００１５】
さらに、第１の本発明の蓋付水路（１０、２０）において、水路蓋（２、２、…、２２、２２、…）の端部に切り欠き（５、５）が備えられていることが好ましい。
【００１６】
水路蓋の端部に切り欠きが備えられている形態とすることによって、該切り欠きを利用して水路蓋を起こすことが容易になる。したがって、水路蓋を持ち上げ、水路蓋の端部を蓋嵌入溝に嵌入させて、水路蓋を立てることが容易になる。また、後に詳述するように、本発明の蓋付水路を水防工法に用いる際に、水路蓋に備えられた切り欠きを排水口として利用することができる。
【００１７】
さらに、第１の本発明の蓋付水路（４０）において、水路蓋（４２、４２、…）が複数備えられ、複数の水路蓋の端部を蓋嵌入溝（３）に嵌入して複数の水路蓋を立てる際に、隣接して立てられた水路蓋の隣り合う端部を互いに係合させることができる凸部（４３、４４）または凹部が、水路蓋の端部に備えられていることが好ましい。
【００１８】
隣接して立てられた水路蓋の隣り合う端部に上記凸部または凹部を備えさせることによって、後に詳述するように、本発明の蓋付水路を水防工法に用いる際に、隣接して立てたられた水路蓋間の止水性を容易に高めることができる。
【００１９】
また、第２の本発明は、堤防（１００）に沿って備えられる水路（１）、水路より堤外地（１００ｂ）側において水路に沿って備えられる蓋嵌入溝（３）、及び通常使用時に少なくとも水路の上面を覆う水路蓋（２、２、…、２２、２２、…、３２、３２、…、４２、４２、…）、を有する蓋付水路（１０、２０、３０、４０）を利用する水防工法であり、水路蓋の端部を蓋嵌入溝に嵌入することで水路蓋を立てるとともに、立てられた水路蓋及び堤防の裏法面（１０２、１０４）の間に流出防止手段（５０、５０）を設置し、立てられた水路蓋、堤防の裏法面、及び流出防止手段で囲まれた領域（６０）において、堤防から漏れた水を堰き止める、水防工法である。
【００２０】
本発明において「流出防止手段」とは、端部を蓋嵌入溝に嵌入することで立てられた水路蓋の、水路の流れ方向に対して垂直に延在する端部と、堤防の法面との間から水が漏れることを防止できる手段であれば特に限定されない。流出防止手段の具体例としては、矢板などの板状体や、土のう、水のうなどを挙げることができる。
【００２１】
さらに、第３の本発明は、堤内地に設けられた道路に沿って備えられる水路（１）、水路より堤外地（１００ｂ）側において水路に沿って備えられる蓋嵌入溝（３）、及び通常使用時に少なくとも水路の上面を覆う水路蓋（２、２、…、２２、２２、…、３２、３２、…、４２、４２、…）、を有する蓋付水路（１０、２０、３０、４０）を利用する水防工法であり、水路蓋の端部を蓋嵌入溝に嵌入して水路蓋を立てることによって、水路蓋より堤外地側から流れてきた水の流れを、立てられた水路蓋で遮る、水防工法である。かかる工法によれば、立てられた水路蓋で堤内地の宅地等を取り囲み、堤防から漏れた水や大雨により排水不能となった水を水路蓋で堰き止めることによって、堤内地の宅地等に浸水することを防止できる。
【発明の効果】
【００２２】
本発明によれば、従来の月の輪工法よりも容易に堤防の決壊を防ぐことができる水防工法、洪水や大雨のときに宅地内への浸水を防止できる水防工法、及びこれらの水防工法に用いられる蓋付水路を提供することができる。
【図面の簡単な説明】
【００２３】
【図１】一般的な河川堤防の鉛直断面を概略的に示す図である。
【図２】（ａ）は、通常使用時の本発明の蓋付水路を概略的に示す上面図である。（ｂ）は、（ａ）に示したＩＩｂ−ＩＩｂでの鉛直断面を概略的に示す図である。
【図３】図２に示した水路蓋の裏面を概略的に示す図である。
【図４】（ａ）は、水路蓋を立てた姿勢での蓋付水路を概略的に示す上面図である。（ｂ）は、（ａ）に示したＩＶｂ−ＩＶｂでの鉛直断面を概略的に示す図である。
【図５】図４（ａ）に示した矢印Ｖの方向から見た水路蓋を概略的に示す図である。
【図６】その他の実施形態にかかる本発明の蓋付水路の通常使用時の鉛直断面を概略的に示す図（ａ）と、水路蓋を立てた姿勢での鉛直断面を概略的に示す図（ｂ）である。
【図７】（ａ）は、図６に示した水路蓋の裏面を概略的に示す図である。（ｂ）は、（ａ）に示した矢印ＶＩＩｂの方向から見た水路蓋を概略的に示す図である。
【図８】その他の実施形態にかかる本発明の蓋付水路の通常使用時の鉛直断面を概略的に示す図（ａ）と、水路蓋を立てた姿勢での鉛直断面を概略的に示す図（ｂ）である。
【図９】その他の実施形態にかかる本発明の蓋付水路の水路蓋を立てた姿勢を概略的に示す上面図である。
【図１０】本発明の水防工法を説明するための図である。
【図１１】図１０に示したＸＩ−ＸＩでの鉛直断面を概略的に示す図である。
【発明を実施するための形態】
【００２４】
以下、本発明の実施形態について図面を用いて説明する。なお、本実施形態は、本発明を実施するための一形態に過ぎず、本発明は本実施形態によって限定されるものではなく、本発明の要旨を逸脱しない範囲で種々の変更実施の形態が可能である。
【００２５】
１．蓋付水路
図１は、一般的な河川堤防１００の鉛直断面を概略的に示す図である。図１に示すように、一般的な河川堤防１００は、河川２００と居住区などを隔てて設けられる。河川堤防１００の最も高い位置を天端１０１といい、そこから河川２００とは反対側に形成された斜面を裏法面１０２、１０４という。また、図１に示すように、裏法面１０２、１０４が２段以上に分かれて形成されている場合は、裏法面１０２と裏法面１０４との間に形成された略水平な場所を裏小段１０３という。さらに、最下段の裏法面１０４の最低端部を裏法面先（尻）１０５といい、その先に設けられた略水平な場所を犬走り１０６という。また、河川堤防１００が設けられた場所を堤防敷１００ａといい、堤防敷１００ａより河川２００側を堤外地１００ｂといい、その反対側を堤内地１００ｃという。本発明の蓋付水路は、裏小段１０３や犬走り１０６などに設けられる。
【００２６】
図２（ａ）は、通常使用時の本発明の蓋付水路を概略的に示す上面図である。図２（ｂ）は、図２（ａ）に示したＩＩｂ−ＩＩｂでの鉛直断面を概略的に示す図である。図２において、紙面左側が堤外地側、紙面右側が堤内地側である。図２に示すように、本発明の蓋付水路１０は、水路１、水路蓋２、及び、蓋嵌入溝３を有する。以下、蓋付水路１０に備えられる主な構成要素について説明する。
【００２７】
（水路１）
水路１は、堤防や堤内地に設けられた道路などに沿って備えられているものであれば特に限定されず、例えば、堤防１００の裏小段１０３や犬走り１０６に設けられている水路である。ただし、水路１が裏小段１０３などに設けられた水路である場合は、水路１から堤脚水路まで水を誘導できる水路を別途備えていることが好ましい。また、水路１が設けられる堤防の種類は特に限定されず、河川堤防や、二線堤、輪中堤などを挙げることができる。水路１は、通常、コンクリートなどによって形成されている。
【００２８】
（水路蓋２）
水路蓋２は、通常使用時には少なくとも水路１の上面を覆うようにして配置されており、蓋嵌入溝３の上面も覆っていることが好ましい。水路蓋２で蓋嵌入溝３の上面も覆うことによって、蓋嵌入溝３にゴミが入ることを抑制できる。
【００２９】
水路蓋２の裏面には凸部４が備えられていることが好ましい。図２（ｂ）に示すように、凸部４は、水路蓋２の通常使用時において蓋嵌入溝３に嵌合されている。凸部４を設けることによって、通常使用時に水路蓋２がずれることを抑制できる。
【００３０】
図３に、水路蓋２の裏面を概略的に示す。図３には、凸部４が２つ備えられる形態を例示しているが、凸部４は１つの水路蓋２に付き１つであってもよく、３つ以上備えられていてもよい。また、凸部４の長手方向（蓋嵌入溝３に沿う方向。図３の上下方向。）の長さは特に限定されない。さらに、凸部４は水路蓋２と一体のものとして形成されていてもよく、別途作製して水路蓋２に取り付けられてもよい。
【００３１】
また、水路蓋２の端部には、図２及び図３に示すように、切り欠き５、５が備えられていることが好ましい。切り欠き５、５が備えられることによって、後に詳述するように蓋付水路１０を水防工法に用いる際に、切り欠き５、５から手または指を入れて水路蓋２を起こすことが容易になる。また、切り欠き５、５が備えられることによって、蓋付水路１０を水防工法に用いる際に、切り欠き５、５を、大きさを容易に調整できる排水口として利用することができる。切り欠き５、５の形状は特に限定されず、設けられる位置も水路蓋２の端部付近であれば特に限定されない。また、水路蓋２の厚さ方向に貫通した孔を１つまたは複数設けても、切り欠き５、５と同様の効果を得られる。
【００３２】
水路蓋２の大きさ（厚さ）や構成する材料は、通常使用時に加えられる負荷、及び水防工法に用いた際に加えられる負荷に耐え得る形態であれば特に限定されない。すなわち、水路蓋２は、堤防から漏れた水を堰き止める際に生じる水圧に対して耐えることのできる強度や曲げ剛性、水密性を有していることが望ましい。ただし、水防工法を行う際の労力を軽減するという観点からは、水路蓋２はできる限り軽いことが好ましい。
【００３３】
水路蓋２の具体例としては、ポリプロピレン繊維やガラス繊維などの繊維で補強されたコンクリートパネル、塩化ビニルなどの樹脂からなるパネル、金属及び樹脂からなる複合パネル、ポリ塩化ビニルやゴムなどの遮水性を有するシートで覆われたグレーチング（金属製、ＦＲＰ製など）などを挙げることができる。
【００３４】
（蓋嵌入溝３）
蓋嵌入溝３は、水路１より堤外地側において水路１に沿って備えられる。蓋嵌入溝３は、水路蓋２、２、…の端部を嵌入することで水路蓋２、２、…を立てることができる溝であれば、特に限定されない。したがって、蓋嵌入溝３の幅、深さ、及び構成する材料などは、水路蓋２の大きさや質量、水路蓋２の端部の厚さなどに応じて適宜設計することができる。なお、後述するように、水路蓋２の一部を重ねて蓋嵌入溝３に嵌入する場合は、その分、蓋嵌入溝３の幅を広くする必要がある。また、蓋嵌入溝３に嵌入された水路蓋２を抜け難くするという観点からは、蓋嵌入溝３の内側（水路蓋２が嵌入される側）の側面に凸部または凹部を設け、蓋嵌入溝３に嵌入される水路蓋２の端部に、該凸部または凹部に対応する凹部または凸部を設けた形態としてもよい。蓋嵌入溝３が設けられる位置は、水路１より堤外地側であれば特に限定されず、例えば、水路１の側面に一体となって設けられていてもよく、図２に例示しているように別途設けられてもよい。
【００３５】
図４（ａ）は、水路蓋２、２、…を立てた姿勢での蓋付水路１０を概略的に示す上面図である。図４（ｂ）は、図４（ａ）に示したＩＶｂ−ＩＶｂでの鉛直断面を概略的に示す図である。図４において、紙面左側が堤外地側、紙面右側が堤内地側である。図５は、図４（ａ）に示した矢印Ｖの方向から見た水路蓋を概略的に示す図である。図５において破線は、重なって見えなくなっている水路蓋２を表している。蓋付水路１０を水防工法に用いる場合には、図４及び図５に示すように、水路蓋２、２、…の端部を蓋嵌入溝３に嵌入して水路蓋２、２、…を立て、隣接する水路蓋２、２の端部の一部を重ねることが好ましい。隣接する水路蓋２、２の一部を重ねることによって、隣接する水路蓋２、２の間の止水性を向上させることができる。なお、図４では、凸部４、４が備えられる側の端部を蓋嵌入溝３に嵌入する形態を例示しているが、本発明はかかる形態に限定されず、その他の端部を嵌入する形態でもよい。
【００３６】
さらに、水路蓋２の端部には、上記したように切り欠き５、５が設けられているため、図５に示すように、切り欠き５、５によって排水口６を形成することができる。排水口６の大きさは、隣接する水路蓋２、２の重なり量を調整することによって調整できる。
【００３７】
＜その他の形態例＞
本発明の蓋付水路は、これまでに説明した形態に限定されず、堤防または堤内地に設けられる道路などに沿って備えられる水路、該水路より堤外地側において水路に沿って備えられる蓋嵌入溝、及び通常使用時に少なくとも該水路の上面を覆う水路蓋、を有し、該水路蓋の端部を蓋嵌入溝に嵌入することで該水路蓋を立てることができる蓋付水路であればよい。以下、図６〜図９を参照しつつ、その他の形態例について説明する。
【００３８】
図６（ａ）は、その他の実施形態にかかる本発明の蓋付水路２０の通常使用時の鉛直断面を概略的に示す図であり、図６（ｂ）は、蓋付水路２０の水路蓋２２を立てた姿勢での鉛直断面を概略的に示す図である。図６において、紙面左側が堤外地側、紙面右側が堤内地側である。図７（ａ）は、図６に示した水路蓋２２の裏面を概略的に示す図である。図７（ｂ）は、図７（ａ）に示した矢印ＶＩＩｂの方向から見た水路蓋２２を概略的に示す図である。図８（ａ）は、その他の実施形態にかかる本発明の蓋付水路３０の通常使用時の鉛直断面を概略的に示す図であり、図８（ｂ）は、蓋付水路３０の水路蓋３２を立てた姿勢での鉛直断面を概略的に示す図である。図８において、紙面左側が堤外地側、紙面右側が堤内地側である。図９は、その他の実施形態にかかる本発明の蓋付水路４０の水路蓋４２、４２、…を立てた姿勢を概略的に示す上面図である。図９において、紙面左側が堤外地側、紙面右側が堤内地側である。
【００３９】
図６〜図９に示した蓋付水路２０、３０、及び４０は、水路蓋の形態以外は図２に示した蓋付水路１０と同様であるため、図６〜図９では、これまでに説明したものと同様の構成のものには同符号を付しており、それらについては説明を省略する。なお、蓋嵌入溝３については、上述したように、嵌入される水路蓋の形態に応じて適宜設計することができる。
【００４０】
図６に示した蓋付水路２０は、通常使用時には水路１及び蓋嵌入溝３を覆う水路蓋２２を備えており、水路蓋２２にはＬ字アングル２３が備えられている。Ｌ字アングル２３は、水路蓋２２の裏面に接着または固定された片２３ｂと、片２３ｂの端部から水路蓋に対して鉛直方向に延在する片２３ａとを備えている。片２３ｂ及び片２３ａは図６に示した断面を維持して奥／手前方向に延在している。片２３ｂ及び片２３ａの大きさ及び構成する材料は、使用に耐え得る強度を有する形態とすることができれば特に限定されない。
【００４１】
片２３ａには、厚さ方向（図６（ａ）の左右方向。図６（ｂ）の上下方向。）に貫通した貫通孔２４を有している（図７（ｂ）参照。）。図６（ｂ）に示すように水路蓋２２の端部を蓋嵌入溝３に嵌入して水路蓋２２を立てる際には、水路蓋２２から地表に対して略平行な方向に延在した片２３ａの貫通孔２４に固定部材２６を通し、水路１の側方において略垂直方向に設けられた孔２５に固定部材２６の端部を嵌入させることによって、水路蓋２２を立てた姿勢で固定することができる。固定部材２６には、ボルトなどを用いることができる。
【００４２】
図７には、１つの水路蓋２２に２つのＬ字アングル２３、２３が備えられた形態を例示しているが、Ｌ字アングル２３は１つであってもよく、３つ以上であってもよい。ただし、水路蓋２２を立てた姿勢で強固に固定するという観点からは、Ｌ字アングル２３が複数備えられていることが好ましい。また、本実施形態では、水路蓋２２の端部を蓋嵌入溝３に嵌入して水路蓋２２を立てる際に、少なくとも、水路蓋２２から地表に対して略平行な方向に延在した片２３ａが備えられていればよく、片２３ａが水路蓋２２に直接設けられた形態でもよい。なお、片２３ａは水路蓋２２の表面側に備えられていても良いが、表面側に突起部を設けることは危険であるという観点や、片２３ａと水路１の側面とを当接させて通常使用時に水路蓋２２の位置がずれることを防止することができるという観点などから、片２３ａは水路蓋２２の裏面側に備えられていることが好ましい。
【００４３】
図８に示した蓋付水路３０は、通常使用時において、水路１を覆う蓋部３２ａと蓋嵌入溝３に嵌入される嵌入部３２ｂとを有する水路蓋３２を備えている。嵌入部３２ｂは蓋部３２ａの端部から蓋部３２ａに対して鉛直方向に延在しており、蓋部３２ａ及び嵌入部３２ｂは図８に示した断面を維持して奥／手前方向に延在している。
【００４４】
このように、嵌入部３２ｂを設けた形態とすることによって、通常使用時に水路蓋３２がずれることを抑制するとともに、蓋嵌入溝３にゴミが入ることを抑制できる。
【００４５】
図８（ｂ）に示すように水路蓋３２の端部を蓋嵌入溝３に嵌入して水路蓋３２を立てる際には、嵌入部３２ｂが備えられていない側の水路蓋３２ａの端部を蓋嵌入溝３に嵌入することによって、水路蓋３２を立てることができる。
【００４６】
図９に示した蓋付水路４０は、水路蓋４２、４２、…を備えている。水路蓋４２は、水路１の流れ方向（図９の上下方向）に垂直な方向（図９の奥／手前方向）に延在する端部に凸部４３、４４が備えられている以外は、これまでに説明した水路蓋と同様の形態とすることができる。複数の水路蓋４２、４２、…の端部を蓋嵌入溝３に嵌入する際に、隣接して立てられた一方の水路蓋４２に備えられた凸部４３と他方の水路蓋４２に備えられた凸部４４とを係合させることによって、隣接して立てたられた水路蓋４２、４２間の止水性を高めることができる。
【００４７】
２．水防工法
以下に図１０及び図１１を参照しつつ、本発明の水防工法について説明する。以下の説明では、蓋付水路１０を用いた場合について説明するが、その他の形態の本発明の蓋付水路を用いた場合についても同様である。図１０は、蓋付水路１０を用いて本発明の水防工法を実施しているときの蓋付水路１０の姿勢を概略的に示す上面図である。図１１は、図１０に示したＸＩ−ＸＩでの鉛直断面を概略的に示す図である。
【００４８】
本発明の水防工法は、堤防に沿って備えられた水路１、通常使用時に水路１の上面を覆う複数の水路蓋２、２、…、及び、水路１より堤外地側において水路１に沿って備えられた蓋嵌入溝３を有する蓋付水路１０を利用する工法であり、水路蓋２、２、…の端部を蓋嵌入溝３に嵌入することで水路蓋２、２、…を立てるとともに、立てられた水路蓋２、２、…及び堤防の裏法面７０（図１に示した堤防では、裏法面１０２または裏法面１０４に相当。）の間に流出防止手段５０、５０を設置し、立てられた水路蓋２、２、…、堤防の裏法面７０、及び流出防止手段５０、５０で囲まれた領域６０において、堤防から漏れた水を堰き止める工法である。
【００４９】
本発明の水防工法では、まず、堤防から漏水があった場合もしくは漏水のおそれがある場合に、その付近の水路蓋２、２、…をこれまでに説明したようにして立てる。その後、立てられた水路蓋２、２、…のうち最も水路１の上流側の端部２ａと堤防の裏法面７０との間、及び最も水路１の下流側の端部２ｂと堤防の裏法面７０との間に流出防止手段５０、５０を設置する。そうすることによって、水路蓋２、２、…及び流出防止手段５０、５０で漏水箇所を包囲し、堤防から漏れた水を水路蓋２、２、…、流出防止手段５０、５０、及び堤防の裏法面７０で囲まれた領域６０に溜めることができる。領域６０に溜められた水の一部は、水路蓋２、２、…に設けられた切り欠き５、５によって形成された排水口６（図５参照。）から排水することができる。
【００５０】
本発明において流出防止手段５０は、端部を蓋嵌入溝３に嵌入することで立てられた水路蓋２、２、…の水路１の流れ方向に対して垂直な方向に延在する端部２ａ、２ｂと堤防の裏法面７０との間から水が漏れることを防止できる手段であれば特に限定されない。図１０及び図１１には、流出防止手段５０として矢板を用いた形態を例示している。流出防止手段５０に矢板などの板状体を用いる場合、その材質は水を堰き止められるものであれば特に限定されず、水路蓋２と同様のものを用いることができる。また、板状体以外の流出防止手段５０の具体例としては、土のう、水のうなどを挙げることができる。
【００５１】
本発明の水防工法によれば、漏水箇所付近に水を溜めることで水頭差を低減し、堤体内の水の流れを抑えることができる。また、有事の際は、水路蓋を建て込むだけで作業は完了するため、従来の月の輪工法に比べて迅速な水防作業が可能である。また、月の輪工法では土のうで水を溜めていたのに対して、本発明では水路蓋などを用いるため、強度、剛性、止水性に優れている。また、水路蓋に上述したような切り欠きや孔を設けることにより、溜めた水を排出するためのパイプを別途設ける必要がない。また、水路蓋などによって溜められた水が所定量を超えた場合には、水路を利用して排水することができるため、堤防からの漏水を速やかに排出することができる。また、漏水の実績箇所に沿って本発明の蓋付水路を設置することにより、長い延長に対応可能である。また、堤防敷内にて水防工法を完了することができるため、堤内地側の別途用地を必要としない。
【００５２】
これまでの本発明の水防工法の説明では、蓋付水路１０が堤防に沿って備えられている場合について説明したが、本発明の水防工法はかかる形態に限定されない。上述したように本発明の蓋付水路１０は堤内地に設けられた道路などに沿って備えられていても良い。蓋付水路１０が堤内地に設けられた道路に沿って備えられている場合、水路蓋２、２、…の端部を蓋嵌入溝３に嵌入して水路蓋２、２、…を立てることによって、水路蓋２、２、…より堤外地側から流れてきた水の流れを、立てられた水路蓋２、２、…で遮ることができる。したがって、立てられた水路蓋２、２、…で堤内地の宅地等を取り囲み、堤防から漏れた水や大雨により排水不能となった水を水路蓋２、２、…で堰き止めることによって、堤内地の宅地等に浸水することを防止できる。
【００５３】
以上、現時点において実践的で好ましいと思われる実施形態に関連して本発明を説明したが、本発明は本願明細書中に開示された実施形態に限定されるものではなく、請求の範囲及び明細書全体から読み取れる発明の要旨あるいは思想に反しない範囲で適宜変更可能であり、そのような変更を伴う蓋付水路、及び水防工法もまた本発明の技術的範囲に包含されるものとして理解されなければならない。
【符号の説明】
【００５４】
１  水路
２、２２、３２、４２  水路蓋
３  蓋嵌入溝
４  凸部
５  切り欠き
６  排水口
１０、２０、３０、４０  蓋付水路
２３  Ｌ字アングル
２３ａ  片
２４  貫通孔
２５  孔
２６  固定部材
４３、４４  凸部
５０  流出防止手段
７０  裏法面
【図１】
2011058296.tif 000003
【図２】
2011058296.tif 000004
【図３】
2011058296.tif 000005
【図４】
2011058296.tif 000006
【図５】
2011058296.tif 000007
【図６】
2011058296.tif 000008
【図７】
2011058296.tif 000009
【図８】
2011058296.tif 000010
【図９】
2011058296.tif 000011
【図１０】
2011058296.tif 000012
【図１１】
2011058296.tif 000013